(57)【要約】【課題】  光コネクタアダプタの列がボックス手前から奥行き方向に順に配置され、光パッチパネルに設けられる光コネクタアダプタが多い場合でも、挿抜作業の対象とする光コネクタアダプタを容易にかつ確実に特定することが可能なアダプタ識別治具を提供する。【解決手段】  アダプタ識別治具３１は、積層された任意の光コネクタアダプタ２３間に各列にわたって挿入されて各列を分断し、分断した箇所の板面に沿って並ぶ各光コネクタアダプタ２３同士の位置関係を識別させる。つまり、板面に沿って並ぶ光コネクタアダプタ２３のうち、手前側にある光コネクタアダプタ２３はそのアダプタ識別番号１〜１２を容易に目視確認することが出来るため、各列に配置されている各光コネクタアダプタ２３間の関係に基づいて、アダプタ識別番号を把握できる手前側にある光コネクタアダプタ２３との関係から、奥側の列にある光コネクタアダプタ２３を特定することが出来る。【選択図】  図６
2013037173.tif 000002
【特許請求の範囲】
【請求項１】
光パッチパネルに複数列に並んで形成された各開口部に列方向に遊びをもって嵌められて複数列に積層された単心の光コネクタアダプタを識別するアダプタ識別治具であって、
板状をしており、積層された任意の前記光コネクタアダプタ間に各前記列にわたって挿入されて各前記列を分断し、分断した箇所の板面に沿って並ぶ各前記光コネクタアダプタ同士の位置関係を識別させる
ことを特徴とするアダプタ識別治具。
【請求項２】
各前記列にわたって挿入されて各前記列を分断した際に板面に隠れる前記光パッチパネルのパネル面を臨ます窓が形成されていることを特徴とする請求項１に記載のアダプタ識別治具。
【請求項３】
前記光コネクタアダプタの識別番号が前記光コネクタアダプタの積層位置に対応して板面に表されていることを特徴とする請求項１または請求項２に記載のアダプタ識別治具。
【請求項４】
前記光パッチパネルは、光接続箱内において光コネクタプラグ同士を前記光コネクタアダプタを介して接続するものであることを特徴とする請求項１から請求項３のいずれか１項に記載のアダプタ識別治具。
【発明の詳細な説明】
【技術分野】
【０００１】
本発明は、光パッチパネルに並んだ光コネクタアダプタを識別するアダプタ識別治具に関するものである。
【背景技術】
【０００２】
図１の斜視図に示すように、光接続箱内の光パッチパネル１には光コネクタアダプタ２が整然と並べられている。従来、この光コネクタアダプタ２を識別するため、光コネクタアダプタ２近傍の光パッチパネル１のパネル面に、光コネクタアダプタ２の識別番号が記されたナンバーラベル３が貼られている。光ファイバコード４の端部に設けられたコネクタ５の挿抜作業の際には、ナンバーラベル３に表された識別番号を確認することで該当光コネクタアダプタ２が特定される。
【０００３】
光接続箱は小型であり、光コネクタアダプタ２の数が多くなると、光コネクタアダプタ２から出線する光ファイバコード４が多くなって、ナンバーラベル３に表された識別番号を目視して確認しづらくなる。また、光接続箱は一般的に直方体状のボックス内に構成され、小型のボックス内に多くの光ファイバコード４のコネクタ接続部を収納させるため、光パッチパネル１はその短辺方向がボックスの奥行き方向に配置され、コネクタ５の挿抜方向がボックスの幅方向とされる。このため、光コネクタアダプタ２はボックス手前から奥行き方向に順に配置され、手前側の最前列の光コネクタアダプタ２の識別番号は容易に目視確認することが出来る。しかし、奥の方に配置された光コネクタアダプタ２の識別番号は構造的に光ファイバコード４に隠れて目視確認しづらくなる。従って、手前側の光コネクタアダプタ２以外はボックスの真横から覗き込むようにして確認するが、奥側になればなるほど目視確認しづらくなってコネクタ挿抜作業の正確さが失われる。
【０００４】
特許文献１には、光コネクタアダプタが上下多段に設けられているアダプタ配列部において、光コネクタアダプタに対する光コネクタプラグの着脱作業を効率よく行えるコネクタ作業用補助具が開示されている。このコネクタ作業用補助具は、光コネクタアダプタを収納できる、門形のヘッド部の両側壁から延出する一対の延出シート部を具備し、一対の延出シート部の一方または他方に、上下多段の光コネクタアダプタのプラグ穴に対応する線番表示が設けられている。
【先行技術文献】
【特許文献】
【０００５】
【特許文献１】特開２００８−２２４８９１号公報
【発明の概要】
【発明が解決しようとする課題】
【０００６】
しかしながら、上記従来の特許文献１に開示されているコネクタ作業用補助具は、アダプタ配列部の前面側からパネル面に接近させて行き、ヘッド部に作業対象の光コネクタアダプタを収納して使用する。このため、光コネクタアダプタがボックス手前から奥行き方向に順に配置され、コネクタの挿抜方向がボックスの幅方向とされている場合、光ファイバコードが多いと、光ファイバコードが邪魔になってコネクタ作業用補助具のヘッド部に作業対象の光コネクタアダプタを収納することが困難になる。また、ヘッド部に作業対象の光コネクタアダプタを収納することが出来たとしても、一対の延出シート部の一方または他方に設けられている線番表示を目視確認することは、光ファイバコードが邪魔になって困難である。従って、ボックスの奥の方に配置された作業対象の光コネクタアダプタを特定することは難しい。
【０００７】
また、上記従来の特許文献１に開示されているコネクタ作業用補助具は、複雑な形状をした樹脂シートを折り曲げて成形することで構成され、製作するのに費用がかかってしまう。
【課題を解決するための手段】
【０００８】
本発明はこのような課題を解決するためになされたもので、
光パッチパネルに複数列に並んで形成された各開口部に列方向に遊びをもって嵌められて複数列に積層された単心の光コネクタアダプタを識別するアダプタ識別治具であって、
板状をしており、積層された任意の光コネクタアダプタ間に各列にわたって挿入されて各列を分断し、分断した箇所の板面に沿って並ぶ各光コネクタアダプタ同士の位置関係を識別させることを特徴とする。
【０００９】
この構成によれば、単心の光コネクタアダプタが、光パッチパネルに複数列に並んで形成された各開口部に列方向に遊びをもって嵌められて、複数列に積層される。従って、各光コネクタアダプタは積層された各開口部において列方向に遊動し、板状をしたアダプタ識別治具を、積層された任意の光コネクタアダプタ間に各列にわたって挿入することが出来る。このため、光コネクタアダプタの列がボックス手前から奥行き方向に順に配置され、コネクタの挿抜方向がボックスの幅方向とされている場合、光パッチパネルに設けられる光ファイバコードが多くても、ボックス手前側の識別番号を容易に目視確認することが出来る列の任意の光コネクタアダプタ間に、板状をしたアダプタ識別治具の手前側の長手方向端部を押し込み、その状態でアダプタ識別治具の奥側の長手方向端部を奥側の列の光コネクタアダプタ間に押し込むことで、積層された任意の光コネクタアダプタ間に各列にわたってアダプタ識別治具を挿入して各列を分断することが出来る。奥側の列にある光コネクタアダプタは、分断した箇所のアダプタ識別治具の板面に沿って並ぶ各光コネクタアダプタ同士の位置関係を識別することで、特定することが可能である。つまり、分断した箇所のアダプタ識別治具の板面に沿って並ぶ光コネクタアダプタのうち、手前側にある光コネクタアダプタは識別番号を容易に目視確認することが出来るため、各列に配置されている各光コネクタアダプタ間の予め認識している関係に基づいて、識別番号を把握できる手前側にある光コネクタアダプタとの関係から、奥側の列にある光コネクタアダプタを特定することが出来る。
【００１０】
よって、光コネクタアダプタの列がボックス手前から奥行き方向に順に配置され、光パッチパネルに設けられる光コネクタアダプタおよび光ファイバコードが多い場合でも、挿抜作業の対象とする光コネクタアダプタを容易にかつ確実に特定することが可能になる。しかも、アダプタ識別治具によって分断された一方の光コネクタアダプタ群および光ファイバコード群がアダプタ識別治具に隠れて触れなくなるので、光コネクタプラグの挿抜時に作業対象でない光コネクタプラグを誤って掴むおそれが低減され、また、作業対象でない光コネクタアダプタ群および光ファイバコード群によって光コネクタプラグの挿抜作業が邪魔されなくなる。この結果、光コネクタプラグの挿抜作業の作業性は向上する。また、光コネクタアダプタが多数配置されても各光コネクタアダプタを識別することが可能なことから、光パッチパネルをより小型にすることが可能となる。また、アダプタ識別治具は単に板状をした部材によって構成されるため、その製作にかかる費用は低減される。
【００１１】
また、本発明は、各列にわたって挿入されて各列を分断した際に板面に隠れる光パッチパネルのパネル面を臨ます窓が形成されていることを特徴とする。
【００１２】
この構成によれば、各列にわたって挿入されて各列を分断した際にアダプタ識別治具の板面に隠れる光パッチパネルのパネル面は、アダプタ識別治具に形成された窓から視認される。このため、分断した箇所のアダプタ識別治具の板面に沿って並ぶ各光コネクタアダプタ同士の位置関係に加え、アダプタ識別治具の窓から視認される光パッチパネルのパネル面に取り付けられた光コネクタアダプタとの位置関係も把握されるため、作業対象とする光コネクタアダプタの特定がより容易に行える。
【００１３】
また、本発明は、光コネクタアダプタの識別番号が光コネクタアダプタの積層位置に対応して板面に表されていることを特徴とする。
【００１４】
この構成によれば、識別番号を把握できる手前側にある光コネクタアダプタとの関係から、奥側の列にある光コネクタアダプタを特定する際、光コネクタアダプタの積層位置に対応して板面に表されている光コネクタアダプタの識別番号を参照することで、各列に配置されている各光コネクタアダプタ間の関係に基づいて、容易に奥側の列にある光コネクタアダプタを特定することが出来る。
【００１５】
また、本発明は、光パッチパネルが、光接続箱内において光コネクタプラグ同士を光コネクタアダプタを介して接続するものであることを特徴とする。
【００１６】
この構成によれば、光接続箱内の光パッチパネルにおける光コネクタアダプタを容易にかつ確実に特定することが可能なアダプタ識別治具が提供される。
【発明の効果】
【００１７】
本発明によれば、上記のように、光コネクタアダプタの列がボックス手前から奥行き方向に順に配置され、光パッチパネルに設けられる光コネクタアダプタおよび光ファイバコードが多い場合でも、挿抜作業の対象とする光コネクタアダプタを容易にかつ確実に特定することが可能なアダプタ識別治具を提供することが出来る。
【図面の簡単な説明】
【００１８】
【図１】光接続箱内における従来の光パッチパネルの斜視図である。
【図２】本発明の一実施の形態によるアダプタ識別治具が適用される光パッチパネルを収納する光接続箱の外観を示す図である。
【図３】図２に示す光接続箱のカバーを取り外した内部状態を示す図である。
【図４】図３に示す光接続箱内の光パッチパネルを一部拡大して示す斜視図である。
【図５】本発明の一実施の形態によるアダプタ識別治具を示す図である。
【図６】図４に示す光パッチパネルに図５に示すアダプタ識別治具が挿入された状態を示す斜視図である。
【図７】図６に示すアダプタ識別治具の挿入状態を一部拡大して示す斜視図である。
【発明を実施するための形態】
【００１９】
次に、本発明によるアダプタ識別治具を光接続箱内の光パッチパネルに適用した一実施の形態について説明する。
【００２０】
図２（ａ）は本実施の形態における光接続箱１１の側面図、同図（ｂ）は正面図、同図（ｃ）は底面図である。
【００２１】
光接続箱１１は、平板状の樹脂製ボデー１１ａに箱状の樹脂製カバー１１ｂが被されて構成されている。その外形寸法は高さ（縦）４５０ｍｍ、幅（横）３５０ｍｍ、奥行き（厚さ）１６０ｍｍであり、カバー１１ｂの底面には開口部１１ｃが設けられている。この開口部１１ｃは、光接続箱１１内に導入される外線光ファイバケーブルの導入部、および光接続箱１１から導出される構内光ファイバコードの導出部となる。
【００２２】
図３（ａ）は、カバー１１ｂを外した状態の光接続箱１１の正面図、同図（ｂ）はその右側面図である。
【００２３】
ボデー１１ａの表面には外周が一回り小さな金属製のベース板１２が設けられており、このベース板１２の下方寄りには融着接続ユニット１３、上方にはコネクタ接続ユニット１４が設けられている。融着接続ユニット１３およびコネクタ接続ユニット１４はそれぞれ引出式テーブル１５および１６上に取り付けられており、引き手部１５ａおよび１６ｂに手を掛けてベース板１２の板面に垂直な方向に自在に引き出すことが可能になっている。同図（ｂ）に点線で示す引出式テーブル１５および１６はベース板１２から引き出された状態を示している。
【００２４】
ベース板１２の矩形状に切り欠かれた下端には、開口部１１ｃを経由して外線光ファイバケーブル１７が導入される。本実施形態では、外線光ファイバケーブル１７は、テンションメンバの周りのスペーサ溝内に４心テープ心線が複数収納されたテープスロット型が用いられており、外線光ファイバケーブル１７から１２本の４心テープ心線１８で合計４８心の光ファイバコードが取り出される。取り出された４心テープ心線１８は、融着接続ユニット１３を構成する２枚のスプライストレイ１３ａにおいて、融着接続ユニット１３とコネクタ接続ユニット１４との間の中継用として事前に光接続箱１１に配線されている４心ＦＯ（ファンアウト）コード１９の一端と融着接続される。この融着接続の際には、融着接続ユニット１３は引出式テーブル１５によって同図（ｂ）に点線で示す位置に引き出され、スプライストレイ１３ａの蓋が同図に点線で示すように開けられる。一方のスプライストレイ１３ａには７本の４心テープ心線１８が導かれて２８心の光ファイバ融着接続部が収納され、他方のスプライストレイ１３ａには５本の４心テープ心線１８が導かれて２０心の光ファイバ融着接続部が収納される。
【００２５】
一端が融着接続された４心ＦＯコード１９は合計で４８心がコードトレイ２１を経由してコネクタ接続ユニット１４へ予め導かれている。４心ＦＯコード１９の他端にはＳＣ形の光コネクタプラグ２０が取り付けられており、合計で４８個の光コネクタプラグ２０は光パッチパネル２２に取り付けられた合計で４８個のＳＣ形単心光コネクタアダプタ２３の一方の側に予め差し込まれている。光パッチパネル２２は、光コネクタアダプタ２３と共にコネクタ接続ユニット１４を構成しており、金属製の板の下端がＬの字型に折り曲げられて形成され、折り曲げ部が引出式テーブル１６に固定されている。光コネクタアダプタ２３は、同図（ｂ）に示すように、１２個が１列とされて奥行き方向に４列に合計４８個配置されており、図１に示す従来の２４個の場合と比べて高密度化されている。この光コネクタアダプタ２３の他方の側には、同図（ａ）に点線で示す構内光ファイバコード２４の一端に取り付けられたＳＣ形の光コネクタプラグ２５が差し込まれる。光パッチパネル２２は、光接続箱１１内において光コネクタプラグ２０，２５同士を光コネクタアダプタ２３を介して接続し、構内光ファイバコード２４はＦＯコード１９とコネクタ接続される。このコネクタ接続により、構内光ファイバコード２４は、ＦＯコード１９を介して外線光ファイバケーブル１７内のテープ心線１８と光接続されることになる。一端が光コネクタアダプタ２３に差し込まれた構内光ファイバコード２４の他端側はベース板１２の下端側に引き回され、開口部１１ｃを経由して光接続箱１１の外へ導かれ、構内に設けられた光機器に配線接続される。
【００２６】
図４は、光パッチパネル２２に設けられた光コネクタアダプタ２３に構内光ファイバコード２４の光コネクタプラグ２５が差し込まれた状態を示す斜視図である。なお、同図において図３と同一または相当する部分には同一符号を付してその説明は省略する。
【００２７】
光パッチパネル２２には図示しない長穴状の開口部が上下方向に４列に平行に並んで形成されている。各開口部の高さ方向の寸法は、パネル取付タイプの単心光コネクタアダプタ２３を１２個積層した高さ寸法よりも若干大きく、各開口部で等しく設定されている。従って、４８個の単心光コネクタアダプタ２３は各開口部に列方向に遊びをもって１２個ずつ嵌められて、４列に積層される。光パッチパネル２２のパネル面には、１〜１２、１３〜２４、２５〜３６、および３７〜４８のアダプタ識別番号がそれぞれ光コネクタアダプタ２３の各列方向に沿って記されたナンバーラベル２６が貼られている。
【００２８】
図５（ａ）は本実施の形態のアダプタ識別治具３１の平面図、同図（ｂ）はその側面図である。
【００２９】
アダプタ識別治具３１は、本実施の形態では縦１４０ｍｍ、横４５ｍｍで０．５ｍｍ厚の長方形状のアルミニウム板からなる。アダプタ識別治具３１の厚さは、光コネクタアダプタ２３が嵌められる開口部の高さ寸法に応じて、アダプタ識別治具３１が各コネクタアダプタ２３間にしっかり挟まる厚さに設計される。アダプタ識別治具３１の板面にはナンバーラベル３２が貼られている。ナンバーラベル３２には、光コネクタアダプタ２３の識別番号が光コネクタアダプタ２３の積層位置に対応して記されており、アダプタ識別治具３１の板面には、光コネクタアダプタ２３の識別番号が光コネクタアダプタ２３の積層位置に対応して表されている。
【００３０】
アダプタ識別治具３１は、図４に示すように積層された任意の光コネクタアダプタ２３間の隙間に図６に示すように各列にわたって挿入されて、各列を分断する。なお、図６において図４と同一または相当する部分には同一符号を付してその説明は省略する。そして、アダプタ識別治具３１は、分断した箇所の板面に沿って並ぶ各光コネクタアダプタ２３同士の位置関係を後述するように識別させる。また、図５に示すように、アダプタ識別治具３１には長穴状の窓３３が形成されている。窓３３は、アダプタ識別治具３１が各列にわたって挿入されて各列を分断した際に、アダプタ識別治具３１の板面に隠れる光パッチパネル２２のパネル面を図７の一部斜視図に示すように臨ます。なお、図７において図５および図６と同一または相当する部分には同一符号を付してその説明は省略する。また、アダプタ識別治具３１の右肩には丸穴３４が形成されている。この丸穴３４は、アダプタ識別治具３１をフックなどに引っ掛けて保管しておく際や、紐を通して作業者の首にアダプタ識別治具３１をぶら下げておく際などに、使用される。
【００３１】
このような本実施の形態によれば、上記のように、単心の光コネクタアダプタ２３が、光パッチパネル２２に４列に並んで形成された各開口部に列方向に遊びをもって嵌められて、図４に示すように４列に積層される。従って、各光コネクタアダプタ２３は積層された各開口部において列方向に遊動し、図５に示すように板状をしたアダプタ識別治具３１を、積層された任意の光コネクタアダプタ２３間に図６に示すように各列にわたって挿入することが出来る。このため、本実施の形態のように、光コネクタアダプタ２３の列が光接続箱１１の手前から奥行き方向に順に配置され、光コネクタプラグ２５の挿抜方向が光接続箱１１の幅方向とされている場合、光パッチパネル２２に設けられる光コネクタアダプタ２３および光ファイバコード２４が多くても、光接続箱１１の手前側のアダプタ識別番号１〜１２を容易に目視確認することが出来る最前列の任意の光コネクタアダプタ２３間に、板状をしたアダプタ識別治具３１の手前側の長手方向端部を押し込み、その状態でアダプタ識別治具３１の奥側の長手方向端部を奥側の列の光コネクタアダプタ２３間に押し込むことで、積層された任意の光コネクタアダプタ２３間に各列にわたってアダプタ識別治具３１を挿入して各列を分断することが出来る。
【００３２】
奥側の列にある光コネクタアダプタ２３は、分断した箇所のアダプタ識別治具３１の板面に沿って並ぶ各光コネクタアダプタ２３同士の位置関係を識別することで、特定することが可能である。つまり、分断した箇所のアダプタ識別治具３１の板面に沿って並ぶ光コネクタアダプタ２３のうち、手前側にある光コネクタアダプタ２３はその１〜１２のアダプタ識別番号を容易に目視確認することが出来るため、該当する行の光コネクタアダプタ２３のアダプタ識別番号を事前に確認しておけば、各列に配置されている各光コネクタアダプタ２３間の関係に基づいて、アダプタ識別番号を把握できる手前側にある光コネクタアダプタ２３との関係から、奥側の列にある光コネクタアダプタ２３を特定することが出来る。例えば、図６に示すように、アダプタ識別番号が８と９の間の最前列の光コネクタアダプタ２３間にアダプタ識別治具３１の手前側の長手方向端部を押し込んだ場合、各列に配置されている各光コネクタアダプタ２３間の予め認識している関係に基づいて、分断した箇所のアダプタ識別治具３１の板面に沿って行方向に並ぶ２列目の光コネクタアダプタ２３のアダプタ識別番号は２０、３列目の光コネクタアダプタ２３のアダプタ識別番号は３２、そして４列目の光コネクタアダプタ２３のアダプタ識別番号は４４と識別することが出来る。
【００３３】
よって、光コネクタアダプタ２３の列が光接続箱１１の手前から奥行き方向に順に配置され、光パッチパネル２２に設けられる光コネクタアダプタ２３および光ファイバコード２４が多い場合でも、挿抜作業の対象とする光コネクタアダプタ２３を容易にかつ確実に特定することが可能になる。例えば、上記の例で、アダプタ識別番号が４４の光コネクタアダプタ２３を特定するには、アダプタ識別番号が８と９の間の最前列の光コネクタアダプタ２３間にアダプタ識別治具３１を挿入することで、分断した箇所のアダプタ識別治具３１の板面に沿って並ぶ４列目の光コネクタアダプタ２３が該当するものと特定することが出来る。
【００３４】
しかも、アダプタ識別治具３１によって分断された下方の光コネクタアダプタ２３群および光ファイバコード２４群がアダプタ識別治具３１に隠れて触れなくなるので、光コネクタプラグ２５の挿抜時に作業対象でない光コネクタプラグ２５を誤って掴むおそれが低減され、また、作業対象でない光コネクタアダプタ２３群および光ファイバコード２４群によって光コネクタプラグ２５の挿抜作業が邪魔されなくなる。この結果、光コネクタプラグ２５の挿抜作業の作業性は向上する。また、光コネクタアダプタ２３が多数配置されても各光コネクタアダプタ２３を識別することが可能なことから、光パッチパネル２２、ひいては光接続箱１１をより小型にすることが可能となる。また、アダプタ識別治具３１は単に板状をした部材によって構成されるため、その製作にかかる費用は低減される。
【００３５】
また、本実施の形態によれば、各列にわたって挿入されて各列を分断した際にアダプタ識別治具３１の板面に隠れる光パッチパネル２２のパネル面は、図７に示すように、アダプタ識別治具３１に形成された窓３３から視認される。このため、分断した箇所のアダプタ識別治具３１の板面に沿って並ぶ各光コネクタアダプタ２３同士の位置関係に加え、アダプタ識別治具３１の窓３３から視認される光パッチパネル２２のパネル面に取り付けられた光コネクタアダプタ２３との位置関係も把握される。例えば、上記の例では、分断した箇所のアダプタ識別治具３１の板面に沿って並ぶ各光コネクタアダプタ２３同士のアダプタ識別番号が８，２０，３２，４４であるという位置関係に加え、アダプタ識別治具３１の窓３３から視認される、アダプタ識別治具３１で分断された２列目の光コネクタアダプタ２３の下方にある光コネクタアダプタ２３のアダプタ識別番号が２１であるという位置関係からも、アダプタ識別治具３１によって分断された２列目の光コネクタアダプタ２３のアダプタ識別番号が２０であるということが把握される。このため、窓３３がアダプタ識別治具３１に形成された本実施の形態によれば、作業対象とする光コネクタアダプタ２３の特定がより容易に行える。
【００３６】
また、本実施の形態によれば、アダプタ識別番号を把握できる手前側にある例えばアダプタ識別番号８の光コネクタアダプタ２３との関係から、奥側の列にある例えばアダプタ識別番号２０，３２，４４の光コネクタアダプタ２３を特定する際、アダプタ識別治具３１に貼られているナンバーラベル３２を参照することで、各列に配置されている各光コネクタアダプタ２３間の関係に基づいて、容易に奥側の列にある光コネクタアダプタ２３を特定することが出来る。つまり、光コネクタアダプタ２３の積層位置に対応してナンバーラベル３２に図５に示すように表されている例えばアダプタ識別番号８の行の表示「８  ２０  ３２  ４４」を参照することで、容易に、アダプタ識別番号８の光コネクタアダプタ２３の奥側のアダプタ識別治具３１の板面に沿って並ぶ光コネクタアダプタ２３のアダプタ識別番号が２０，３２，４４であることを特定することが出来る。
【００３７】
また、本実施の形態によれば、光接続箱１１内の光パッチパネル２２における光コネクタアダプタ２３を容易にかつ確実に特定することが可能なアダプタ識別治具３１が提供される。
【００３８】
なお、本実施の形態では、アダプタ識別治具３１をアルミニウム板から形成した場合について説明したが、材質はこれに限定されるものではなく、例えば樹脂板によって形成するようにしてもよい。樹脂板によって形成すると、アダプタ識別治具３１を光コネクタアダプタ２３間に挿入する際、光コネクタアダプタ２３に傷が付くのを防止することが出来る。また、最前列から奥側に取り付けた光コネクタアダプタ２３の配置を表すアダプタ識別番号の対応表をナンバーラベル３２に記載し、これをアダプタ識別治具３１に貼るように構成したが、アダプタ識別治具３１の板面にアダプタ識別番号の対応表を印刷や刻印などで直接記載するように構成してもよい。
【産業上の利用可能性】
【００３９】
上記の実施の形態では、本発明によるアダプタ識別治具３１を光接続箱１１内の光パッチパネル２２における光コネクタアダプタ２３の識別に用いたが、本発明はこれに限定されるものではなく、光コネクタアダプタ２３が取り付けられた光パッチパネル２２を含む製品全般に適用することが可能である。そして、その場合においても、上記の実施形態と同様な作用効果が奏される。
【符号の説明】
【００４０】
１１…光接続箱
１１ａ…ボデー
１１ｂ…カバー
１１ｃ…開口部
１２…ベース板
１３…融着接続ユニット
１４…コネクタ接続ユニット
１５，１６…引出式テーブル
１５ａ，１６ａ…引き手部
１７…外線光ファイバケーブル
１８…４心テープ心線
１９…４心ＦＯコード
２０，２５…光コネクタプラグ
２１…コードトレイ
２２…光パッチパネル
２３…光コネクタアダプタ
２４…構内光ファイバコード
２６，３２…ナンバーラベル
３１…アダプタ識別治具
３３…窓
３４…丸穴
【図１】
2013037173.tif 000003
【図２】
2013037173.tif 000004
【図３】
2013037173.tif 000005
【図４】
2013037173.tif 000006
【図５】
2013037173.tif 000007
【図６】
2013037173.tif 000008
【図７】
2013037173.tif 000009